(57)【要約】【課題】  電子マニュアルを利用する際の操作性及び検索性を向上させることを可能とする電子マニュアル装置を提供する。【解決手段】  電子マニュアル装置１０の検索重み設定部１０２は、完成マニュアル記憶領域１４２に記憶されているマニュアルページ情報１４２ａ１に対して検索重みを設定する。検索部１０３は、検索条件に該当するページＩＤを取得する。重み順マニュアル表示部１０４は、取得したページＩＤで識別されるマニュアルページ情報１４２ａ１に対して設定されている重みに基づいて、マニュアルページ画面を重み順に表示する。【選択図】  図１３
2006338517.tif 000002
【特許請求の範囲】
【請求項１】
電子マニュアルをマニュアルページ情報としてページ単位で記憶する完成マニュアル記憶手段と、
前記完成マニュアル記憶手段に記憶されたマニュアルページ情報に対して検索重みを設定する検索重み設定手段と、
電子マニュアル利用者により入力された検索条件に該当するマニュアルページ情報を前記完成マニュアル記憶手段から取得する検索手段と、
前記検索手段により取得されたマニュアルページ情報と、該マニュアルページ情報に対して設定されている検索重みとに基づいて、マニュアルページ画面を検索重み順に表示する重み順マニュアル表示手段と
を備えることを特徴とする電子マニュアル装置。
【請求項２】
電子マニュアル作成者により入力された既定重み、電子マニュアル利用者により入力されたユーザ重み、及び、前記既定重みと前記ユーザ重みとの比率を示す情報を記憶する検索重み記憶手段をさらに備え、
前記検索重み設定手段は、
前記既定重みに該既定重みの比率を乗算した値と、前記ユーザ重みに該ユーザ重みの比率を乗算した値と、を加算した値を、前記検索重みとして設定することを特徴とする
請求項１に記載の電子マニュアル装置。
【請求項３】
画面上に表示される複数のジャンプ用操作領域の識別情報と、ジャンプ元及びジャンプ先のマニュアルページ情報の識別情報と、を対応付けて記憶するジャンプ先記憶手段と、
電子マニュアル利用者により画面上の所定のジャンプ用操作領域が選択された場合に、前記ジャンプ先記憶手段に記憶されているジャンプ先管理情報に基づいて、ジャンプ先のマニュアルページ画面を表示するジャンプ手段とをさらに備えることを特徴とする
請求項１又は２に記載の電子マニュアル装置。
【請求項４】
過去に表示されたマニュアルページ画面についての履歴を示すページ移動履歴データを記録する移動履歴記録手段と、
前記移動履歴記録手段に記録されたページ移動履歴データを表示する移動履歴表示手段と、
前記移動履歴表示手段により表示されたページ移動履歴データのうち特定のページ移動履歴データが選択された場合に、該選択された特定のページ移動履歴データに対応するマニュアルページ画面を表示する履歴対応マニュアルページ表示手段とをさらに備えることを特徴とする
請求項１から３の何れか１項に記載の電子マニュアル装置。
【請求項５】
ガイド名称と、該ガイド名称に関連するマニュアルページ画面を識別するページ識別情報とを含むガイドデータを記憶するガイド記憶手段と、
前記ガイド記憶手段に記憶されたガイド名称とページ識別情報との組み合わせに対してガイド重みを設定するガイド重み設定手段と、
電子マニュアル利用者により所定のガイド名称が選択された場合に、該当するガイドデータを前記ガイド記憶手段から取得するガイドデータ取得手段と、
前記選択されたガイド名称と前記ガイドデータ取得手段により取得されたガイドデータに含まれるページ識別情報との組み合わせに対して設定されているガイド重みに基づいて、マニュアルページ画面をガイド重み順に表示するガイド重み順表示手段とをさらに備えることを特徴とする
請求項１から４の何れか１項に記載の電子マニュアル装置。
【発明の詳細な説明】
【技術分野】
【０００１】
本発明は、電子マニュアルを閲覧するための電子マニュアル装置に関する。
【背景技術】
【０００２】
従来、コンピュータを用いて各種電子マニュアルを作成し管理することが行われてきている（例えば、特許文献１〜３参照）。このような電子マニュアルは、文書マニュアルと異なり、検索性や共有性に優れている等の様々なメリットを有している。
しかし、コンピュータに保存される電子マニュアルの量が増加した場合には、電子マニュアル利用者の操作性や検索性が低下してしまう。すなわち、電子マニュアル利用者は、コンピュータを操作して、大量に存在する電子マニュアルの中から必要な内容を検索し表示するのに時間がかかるという問題点がある。
【０００３】
電子マニュアル利用の効率化を図る従来技術として、特許文献４には、ページ単位で記憶した電子マニュアルを使用目的毎に体系化する技術が記載されている。
【特許文献１】特開２００１−３０６５４９号公報
【特許文献２】特開平８−２１２１６１号公報
【特許文献３】特開平４−２３８５３５号公報
【特許文献４】特開昭６２−２１２８３１号公報
【発明の開示】
【発明が解決しようとする課題】
【０００４】
しかしながら、特許文献４に記載の技術を用いた場合には、電子マニュアル利用者は、常に使用目的名を入力し、決められた参照手順でマニュアルを参照する必要があるため、柔軟性がなく電子マニュアル利用者が効率的に所望のマニュアルを検索できるとはいえない。
本発明は上記の問題点を解決するためになされたものであり、電子マニュアルを利用する際の操作性及び検索性を向上させることを可能とする電子マニュアル装置を提供することを目的とする。
【課題を解決するための手段】
【０００５】
上記課題を解決するために、請求項１に記載の発明は、電子マニュアルをマニュアルページ情報としてページ単位で記憶する完成マニュアル記憶手段と、前記完成マニュアル記憶手段に記憶されたマニュアルページ情報に対して検索重みを設定する検索重み設定手段と、電子マニュアル利用者により入力された検索条件に該当するマニュアルページ情報を前記完成マニュアル記憶手段から取得する検索手段と、前記検索手段により取得されたマニュアルページ情報と、該マニュアルページ情報に対して設定されている検索重みとに基づいて、マニュアルページ画面を検索重み順に表示する重み順マニュアル表示手段とを備えることを特徴とする電子マニュアル装置を提供する。
この構成によれば、電子マニュアル装置はマニュアルページ画面を検索重み順に表示することができるため、優先して表示させるべきマニュアルページ情報に高い検索重みを設定しておくことで、電子マニュアル利用の際の操作性及び検索性を向上させることができる。
【０００６】
請求項２に記載の発明は、請求項１に記載の電子マニュアル装置において、電子マニュアル作成者により入力された既定重み、電子マニュアル利用者により入力されたユーザ重み、及び、前記既定重みと前記ユーザ重みとの比率を示す情報を記憶する検索重み記憶手段をさらに備え、前記検索重み設定手段は、前記既定重みに該既定重みの比率を乗算した値と、前記ユーザ重みに該ユーザ重みの比率を乗算した値と、を加算した値を、前記検索重みとして設定することを特徴とする。
この構成によれば、既定重みとユーザ重みと夫々の比率とに基づいて検索重みを算出することができるため、柔軟にマニュアルページ情報の検索重みを設定することができ、電子マニュアル利用者は、効率的に所望のマニュアルページ画面を検索し表示することができる。
【０００７】
請求項３に記載の発明は、請求項１又は２に記載の電子マニュアル装置において、画面上に表示される複数のジャンプ用操作領域の識別情報と、ジャンプ元及びジャンプ先のマニュアルページ情報の識別情報と、を対応付けて記憶するジャンプ先記憶手段と、電子マニュアル利用者により画面上の所定のジャンプ用操作領域が選択された場合に、前記ジャンプ先記憶手段に記憶されているジャンプ先管理情報に基づいて、ジャンプ先のマニュアルページ画面を表示するジャンプ手段とをさらに備えることを特徴とする。
この構成によれば、電子マニュアル利用者は、画面上の所定のジャンプ用操作領域を選択することで所望の移動先のマニュアルページを表示することができ、電子マニュアル利用時の操作性及び検索性を向上させることができる。
【０００８】
請求項４に記載の発明は、請求項１から３の何れか１項に記載の電子マニュアル装置において、過去に表示されたマニュアルページ画面についての履歴を示すページ移動履歴データを記録する移動履歴記録手段と、前記移動履歴記録手段に記録されたページ移動履歴データを表示する移動履歴表示手段と、前記移動履歴表示手段により表示されたページ移動履歴データのうち特定のページ移動履歴データが選択された場合に、該選択された特定のページ移動履歴データに対応するマニュアルページ画面を表示する履歴対応マニュアルページ表示手段とをさらに備えることを特徴とする。
この構成によれば、ページ移動履歴データを利用して、電子マニュアル利用者が過去に表示したことのあるマニュアルページ画面を容易に表示することができるため、電子マニュアル利用者は改めて検索操作等の各種操作を行う必要がなくなり、操作性及び検索性を向上させることができる。
【０００９】
請求項５に記載の発明は、請求項１から４の何れか１項に記載の電子マニュアル装置において、ガイド名称と、該ガイド名称に関連するマニュアルページ画面を識別するページ識別情報とを含むガイドデータを記憶するガイド記憶手段と、前記ガイド記憶手段に記憶されたガイド名称とページ識別情報との組み合わせに対してガイド重みを設定するガイド重み設定手段と、電子マニュアル利用者により所定のガイド名称が選択された場合に、該当するガイドデータを前記ガイド記憶手段から取得するガイドデータ取得手段と、前記選択されたガイド名称と前記ガイドデータ取得手段により取得されたガイドデータに含まれるページ識別情報との組み合わせに対して設定されているガイド重みに基づいて、マニュアルページ画面をガイド重み順に表示するガイド重み順表示手段とをさらに備えることを特徴とする。
この構成によれば、電子マニュアル利用者がガイド名称を選択することで、ガイド名称に関連するマニュアルページ画面をガイド重みの順に表示することができ、電子マニュアル利用者は、ガイド名称を用いて電子マニュアルを効率的に利用することが可能となる。
【発明の効果】
【００１０】
本発明によれば、電子マニュアル装置は、マニュアルページ情報に検索重みを設定し、マニュアルページ画面を検索重み順に表示することができるため、電子マニュアル利用の際の操作性及び検索性を向上させることができる。
【発明を実施するための最良の形態】
【００１１】
以下、図を参照して、本発明の実施の形態について説明する。
図１には、本発明の実施の形態に係る電子マニュアル装置１０のハードウェア構成を示す。同図に示すように、電子マニュアル装置１０は、装置１０全体を制御するＣＰＵ（Central Processing Unit）１１と、データを一時的に記憶するＲＡＭ（Random Access Memory）１２と、起動時に実行されるプログラムが記憶されるＲＯＭ（Read Only Memory）１３と、各種プログラム及びデータ等のソフトウェアを記憶するためのハードディスク装置１４と、キーボードやポインティングデバイスからデータを入力する入力装置１５と、ディスプレイに各種画面を表示する表示装置１６と、を含んで構成されている。
【００１２】
ハードディスク装置１４に記憶されるプログラムには、表示装置１６に各種画面を表示するためのプログラムが含まれている。
表示装置１６に表示される画面の一例として、図２には、操作マニュアルの目次画面Ｄ１を示す。目次画面Ｄ１には、目次の項目毎に対応するジャンプ用ボタン（ジャンプ用操作領域）Ｅ３４が表示されている。
【００１３】
表示装置１６に表示される画面の他の一例として、図３には、操作マニュアル画面Ｄ２の一例を示す。この操作マニュアル画面Ｄ２には、画面モード選択部Ｅ４０と、検索操作部Ｅ５０と、検索重み入力部Ｅ６０とが設けられている。画面モード選択部Ｅ４０には、「基本操作」、「検索」、「ガイド」、「ジャンプ設定」のモード切り替えボタンが設けられている。画面モード選択部Ｅ４０の「検索」が選択されている時に、画面Ｄ２には、検索操作部Ｅ５０と、検索重み入力部Ｅ６０とが表示される。
【００１４】
検索操作部Ｅ５０は、フリーワード検索時の検索語の入力欄である検索語入力欄Ｅ５２ａと、検索開始ボタンＥ５３と、ページ送りボタンＥ５４とで構成される。また、検索重み入力部Ｅ６０は、ユーザ重みチェックボックスＥ６１と、既定重みチェックボックスＥ６２と、ユーザ重み比率欄Ｅ６３と、既定重み比率欄Ｅ６４と、重み合計欄Ｅ６５とで構成される。なお、プリセット検索時には、図示せぬ検索語選択欄が検索操作部Ｅ５０に表示される。
【００１５】
図４には、画面モード選択部Ｅ４０の「基本操作」が選択されている時の操作マニュアル画面Ｄ２の一例を示す。同図に示すように、この操作マニュアル画面Ｄ２には、表示切替部Ｅ２０と、ジャンプ操作部Ｅ３０と、履歴操作部Ｅ９０とが設けられている。表示切替部Ｅ２０には、１画面に１ページ分のマニュアル画面を表示するモードと、サムネイル表示（１画面に複数（６、２、９）ページ表示）するモードとを切り替えるためのボタンが設けられている。ジャンプ操作部Ｅ３０には、ジャンプ先番号ボタン（ジャンプ用操作領域）Ｅ３１と目次一覧表示ボタンＥ３２とが設けられている。履歴操作部Ｅ９０には、自動履歴記録のＯＮ／ＯＦＦを切り替えるための自動履歴記録ＯＮ／ＯＦＦ切替ボタンＥ９１と、ページ送りボタンＥ９２と、履歴一覧表示ボタンＥ９３と、手動で履歴記録を行うための履歴記録ボタンＥ９４と、記録された履歴を手動で消去するための履歴消去ボタンＥ９５とが設けられている。
【００１６】
また、ハードディスク装置１４には、データの記憶領域として、完成マニュアル記憶領域（完成マニュアル記憶手段）１４２と、検索重み記憶領域（検索重み記憶手段）１４３と、ジャンプ先記憶領域（ジャンプ先記憶手段）１４４と、移動履歴記録領域１４５とガイド記憶領域（ガイド記憶手段）１４６と、が設けられている。
完成マニュアル記憶領域１４２には、電子マニュアル作成者により作成された完成マニュアルが記憶される。図５には、完成マニュアル記憶領域１４２に記憶される完成マニュアルデータの構成の一例を示す。同図に示すように、完成マニュアルデータは、ページデータ１４２ａと、マニュアルＤＢ１４２ｂと、を含んで構成される。ページデータ１４２ａは、電子マニュアルの１単位であるページ毎に管理されたマニュアルページ情報１４２ａ１で構成される。マニュアルページ情報１４２ａ１は、アプリケーションに応じたマニュアル内容が含まれるファイルと、画像データとを含んで構成される。
【００１７】
マニュアルＤＢ１４２ｂには、ページ情報テーブル１４２ｂ１及び連結情報テーブル１４２ｂ２が記憶されている。図６には、ページ情報テーブル１４２ｂ１及び連結情報テーブル１４２ｂ２のデータ構成を示す。同図に示すように、ページ情報テーブル１４２ｂ１には、データ項目として、マニュアルページ情報１４２ａ１を識別する「ページＩＤ」と、マニュアルページ情報１４２ａ１に付けられたファイル名を示す「ファイル名」と、マニュアルページ情報１４２ａ１の検索に使用される「キーワード」と、画面表示設定情報としての「スクロール設定」及び「サイズ設定」などと、が設けられている。
【００１８】
連結情報テーブル１４２ｂ２は、章、項等のインデックスをマニュアルページ情報１４２ａ１毎に割り付けるための情報を記憶するテーブルである。図６に示すように、連結情報テーブル１４２ｂ２は、マニュアルページ情報１４２ａ１とインデックスとを対応付けるためのデータ（「ページＩＤ」、「章ＩＤ」、「項ＩＤ」）と、インデックスとしての章及び項の名称を定義するためのデータ（「章ＩＤ」、「項ＩＤ」、「章名称」、「項名称」）とを含んで構成される。また、ページ情報テーブル１４２ｂ１と連結情報テーブル１４２ｂ２とはページＩＤをキーとして関連付けられている。なお、このような「章」、「項」以外にも「号」等のインデックスを割り付けることも可能であり、インデックスの階層を制限なく拡張することが可能である。
【００１９】
図７には、検索重み記憶領域１４３に記憶されるデータの構成の一例を示す。同図に示すように、検索重み記憶領域１４３は、検索語記憶領域１４３ａと検索結果記憶領域１４３ｂと検索重み比率記憶領域１４３ｃとで構成される。検索語記憶領域１４３ａには検索語による検索履歴が記憶される。検索結果記憶領域１４３ｂには、検索語を識別するための「検索ＩＤ」と、マニュアルページ情報１４２ａ１を識別するための「ページＩＤ」と、電子マニュアル作成者により入力される「既定重み」と、電子マニュアル利用者により入力される「ユーザ重み」と、既定重み、ユーザ重み及び重み比率から設定された「重み合計」とが記憶される。検索重み比率記憶領域１４３ｃには、既定重みとユーザ重みとの比率を示す「検索重み比率」が記憶される。
【００２０】
ジャンプ先記憶領域（ジャンプ先記憶手段）１４４には、ジャンプ先管理情報が記憶される。図８には、ジャンプ先記憶領域１４４に記憶されるジャンプ先管理情報のデータ構成の一例を示す。ジャンプ先管理情報は、ジャンプ用ボタンＥ３１の識別情報（同図のＪＡＭＰ１、２、・・・）と、移動元及び移動先のマニュアルページ情報１４２ａ１のページＩＤと、を対応付けた情報である。図８に示すジャンプ先管理情報の例では、例えば、ページＩＤ“７”のマニュアルページ画面が表示されている状態において“ＪＡＭＰ１”のジャンプ用ボタンＥ３１が選択された場合に、ページＩＤ“８”のマニュアルページ画面が表示されることを示している。
【００２１】
移動履歴記録領域１４５には、ページ移動履歴データが記憶される。図９には、ページ移動履歴データの構成例を示す。ページ移動履歴データは、ページ移動履歴データを識別するための「操作ＩＤ」と、マニュアルページ情報１４２ａ１を識別するための「ページＩＤ」と、電子マニュアル利用者の移動操作によりマニュアルページ画面が表示された「操作日時」と、を含んで構成される。また、ハードディスク装置１４には、ページ移動履歴データを画面上に一覧表示するためのプログラムが記憶されている。図１０には、履歴一覧表示ボタンＥ９３が選択されて、ページ移動履歴データの一覧が表示されている操作マニュアル画面Ｄ２の一例を示す。
【００２２】
ガイド記憶領域１４６にはガイドデータが記憶される。図１１には、ガイド記憶領域１４６に記憶されるガイドデータの構成の一例を示す。同図に示すように、ガイド記憶領域１４６は、ガイド名称記憶領域１４６ａとガイド情報記憶領域１４６ｂとガイド重み比率記憶領域１４６ｃとで構成される。ガイド名称記憶領域１４６ａには、ガイド名称を識別するためのＩＤである「ガイドＩＤ」と、電子マニュアル利用者が電子マニュアルを参照して行いたい内容の名称を示す「ガイド名称」とが記憶されている。ガイド情報記憶領域１４６ｂには、「ガイドＩＤ」と、ガイド対象のマニュアルページ画面を識別するためのページ識別情報である「ページＩＤ」と、ガイド対象のマニュアルページ画面の説明を示す「ガイダンス」と、電子マニュアル作成者により入力される「既定重み」と、電子マニュアル利用者により入力される「ユーザ重み」と、電子マニュアル利用者に対してガイド対象のマニュアルページ画面を表示する際の優先順位を示す「重み合計」と、が記憶される。ガイド重み比率記憶領域１４６ｃには、既定重みとユーザ重みとの比率を示す「ガイド重み比率」が記憶される。
その他、ハードディスク装置１４には、電子マニュアル利用者の入力によって、検索結果を記録するか否かを選択するための検索結果記録モードや、検索時に重みを考慮して検索するか否かを選択するための重み考慮フラグが記憶される。
【００２３】
［機能構成］
以上説明した、電子マニュアル装置１０が備えるハードウェア及びソフトウェアにより、図１２に示す機能構成が実現される。
検索重み設定部１０２は、検索重み記憶領域１４３に記憶されているデータに基づき、マニュアルページ情報１４２ａ１に対して検索重みを設定する。具体的には、検索重み設定部１０２は、検索重み記憶領域１４３に記憶されている既定重みに既定重みの比率を乗算した値と、ユーザ重みにユーザ重みの比率を乗算した値と、を加えて重み合計を算出する。そして、算出した重み合計を検索重み記憶領域１４３に記憶することにより、マニュアルページ情報１４２ａ１に対する検索重みを設定する。
【００２４】
検索部１０３は、電子マニュアル利用者により入力された検索条件に該当するマニュアルページ情報１４２ａ１を、完成マニュアル記憶領域１４２から取得する。
重み順マニュアル表示部１０４は、検索部１０３により取得されたマニュアルページ情報１４２ａ１各々に対して設定されている検索重みに基づいて、マニュアルページ画面を重み順に表示する。
【００２５】
ジャンプ部１０７は、ジャンプ先記憶領域１４４に記憶されているジャンプ先管理情報に基づいて、移動先のマニュアルページ画面を表示する。
移動履歴記録部（移動履歴記録手段）１０８は、過去に表示されたマニュアルページ画面についての履歴を示すページ移動履歴データを移動履歴記録領域１４５に記録する。
移動履歴表示部１０９は、移動履歴記録領域１４５に記録されたページ移動履歴データを表示する。
【００２６】
履歴対応マニュアルページ表示部１１０は、移動履歴表示部１０９により表示されたページ移動履歴データのうち特定のページ移動履歴データが選択された場合に、当該選択された特定のページ移動履歴データに対応するマニュアルページ情報１４２ａ１に基づいて、マニュアルページ画面を表示する。
ガイド重み設定部１１１は、ガイド記憶領域１４６に記憶されている、「ガイド名称」と「ページＩＤ」との組み合わせに対してガイド重みを設定する。
ガイドデータ取得部１１２は、電子マニュアル利用者によって所定の「ガイド名称」が選択された場合に、選択された「ガイド名称」を含むガイドデータ（ページＩＤ、ガイダンス、重み合計等）をガイド記憶領域１４６から取得する。
【００２７】
ガイド重み順表示部１１３は、ガイドデータ取得部１１２により取得されたガイドデータに含まれる「重み合計」（ガイド重み）の値を確認する。そして、ガイド重み順表示部１１３は、選択された「ガイド名称」と、ガイドデータ取得部１１２により取得されたガイドデータに含まれる「ページＩＤ」との組み合わせに対して設定されているガイド重みの順に、「ページＩＤ」で識別されるマニュアルページ画面を表示する。
【００２８】
［マニュアル検索処理、及び、検索重み設定処理］
次に、電子マニュアル装置１０で行われる各処理について説明する。以下、各図における同等の処理ステップには同一番号が付されている。図１３は、マニュアル検索処理、及び、検索重み設定処理の概要を示す図である。
【００２９】
（マニュアル検索処理）
図１４に示すフローチャート及び図１３を参照して、マニュアル検索処理について説明する。
まず、電子マニュアル利用者は、入力装置１５を操作して、表示装置１６に操作マニュアル画面Ｄ２を表示し、画面モード選択部Ｅ４０において「検索」を選択する。そして、検索操作部Ｅ５０の検索語入力欄Ｅ５２ａに検索語を入力し（ステップＳ１０１）、検索開始ボタンＥ５３をクリックする（ステップＳ１０２）。図１３に示す例では、検索語として「パスワード」が入力されている。
【００３０】
これにより、検索部１０３は、入力された検索語と同一のキーワードに対応付けられて完成マニュアル記憶領域１４２に記憶されているページ情報（ページＩＤ）を取得する（ステップＳ１０３）。なお、検索語と同一か否かの判定に用いられる「キーワード」としては、マニュアルＤＢ１４２ｂに記憶されているキーワードであってもよいし、完成マニュアル記憶領域１４２に記憶されている検索データであってもよい。
【００３１】
このとき、ステップＳ１０４において検索結果記録モードがＯＮに設定されている場合には、検索語を検索語記憶領域１４３ａに記録する（ステップＳ１０５）。
該当するページＩＤを取得できた場合には（ステップＳ１０６；Ｙ）、取得したページＩＤで識別されるマニュアルページ情報１４２ａ１に基づいてマニュアルページ画面を表示する（ステップＳ１０８）。
【００３２】
一方、該当するページＩＤを取得できなかった場合には（ステップＳ１０６；Ｎ）、マニュアルページ画面の表示を更新しない（ステップＳ１０７）。
検索結果記録モードがＯＮに設定されている場合には、検索結果（ページ情報）を検索結果記憶領域１４３ｂに記録する（ステップＳ１０９）。
次に、電子マニュアル利用者は、ページ送りボタンＥ５４をクリックし、次のマニュアルページを検索する操作を行う（ステップＳ１１０）。
【００３３】
検索部１０３は、表示済みのマニュアルページに対応するページＩＤを除いて、入力された検索語と同一のキーワードと対応付けられているページＩＤを検索する（ステップＳ１１１）。検索した結果、該当するページＩＤを取得できた場合には（ステップＳ１１２；Ｙ）、取得したページＩＤで識別されるマニュアルページ情報１４２ａ１に基づいてマニュアルページ画面を表示する（ステップＳ１１３）。
一方、該当するページＩＤを取得できなかった場合には（ステップＳ１１２；Ｎ）、マニュアルページ画面表示を更新しない（ステップＳ１１４）。
検索結果記録モードがＯＮに設定されている場合には、検索結果（ページ情報）を検索結果記憶領域１４３ｂに記録する（ステップＳ１１５）。
【００３４】
（検索重み設定処理）
次に、図１５に示すフローチャート及び図１３を参照して、検索重み設定処理について説明する。
電子マニュアル利用者は、検索重み入力部Ｅ６０のユーザ重みチェックボックスＥ６１をチェックすることにより、ユーザ重みを設定する（ステップＳ２０１）。
これにより、検索重み設定部１０２は、表示中のマニュアルページ画面に対応するマニュアルページ情報１４２ａ１のページＩＤに対応付けて、チェックされたユーザ重みチェックボックスＥ６１に対応するユーザ重みデータを、検索結果記憶領域１４３ｂに書き込む（ステップＳ２０２）。
【００３５】
電子マニュアル利用者は、検索重み入力部Ｅ６０のユーザ重み比率欄Ｅ６３にユーザ重みの比率を入力することにより、重み比率を設定する（ステップＳ２０３）。
これにより、検索重み設定部１０２は、表示中のマニュアルページ画面に対応するマニュアルページ情報１４２ａ１のページＩＤに対応付けて、ユーザ重み比率欄Ｅ６３に入力されたユーザ重みの比率データを検索重み比率記憶領域１４３ｃに書き込む（ステップＳ２０４）。
【００３６】
さらに、検索重み設定部１０２は、重み合計の値を以下の計算式で算出する。
重み合計＝（ユーザ重み×ユーザ重みの重み比率）＋（既定重み×（１−ユーザ重みの重み比率））
検索重み設定部１０２は、算出した値で重み記憶領域１４３の重み合計を更新することにより、新たな検索重みを設定する（ステップＳ２０５）。
【００３７】
（重み考慮マニュアル検索処理）
次に、図１６及び図１３に示すフローチャートを参照して、重み考慮マニュアル検索処理について説明する。
まず、電子マニュアル利用者は、入力装置１５を操作して、表示装置１６に操作マニュアル画面Ｄ２を表示し、画面モード選択部Ｅ４０において「検索」を選択する。そして、検索操作部Ｅ５０の検索語選択欄Ｅ５２ｂに表示された検索語リストから検索語を選択し（ステップＳ３０１）、検索開始ボタンＥ５３をクリックする（ステップＳ３０２）。
これにより、検索部１０３は、選択された検索語に関連付けられて記憶されているページＩＤを検索結果記憶領域１４３ｂから取得する（ステップＳ３０３）。
【００３８】
ステップＳ３０４において重み考慮フラグがＯＮに設定されている場合は、重み順マニュアル表示部１０４は、検索語と同一のキーワードと対応付けられているページＩＤ（検索語を含むマニュアルページ情報１４２ａ１）のうち、検索重みが最大のマニュアルページ情報１４２ａ１に基づいて、マニュアルページ画面を表示する（ステップＳ３０５）。
【００３９】
一方、重み考慮フラグがＯＦＦに設定されている場合は、検索語を含むマニュアルページ情報１４２ａ１のうち、ページＩＤが最も小さいマニュアルページ情報１４２ａ１に基づいて、マニュアルページ画面を表示する（ステップＳ３０６）。
次に、電子マニュアル利用者は、ページ送りボタンＥ５４をクリックし、次のマニュアルページを検索する操作を行う（ステップＳ３０７）。
【００４０】
重み考慮フラグがＯＮに設定されている場合は、重み順マニュアル表示部１０４は、検索語を含むマニュアルページ情報１４２ａ１のうち、ステップＳ３０５において表示したものの次に検索重みが大きいマニュアルページ情報１４２ａ１に基づいて、マニュアルページ画面を表示する（ステップＳ３０８）。
一方、重み考慮フラグがＯＦＦに設定されている場合は、検索語を含むマニュアルページ情報１４２ａ１のうち、ステップＳ３０６において表示したものの次にページＩＤが小さいマニュアルページ情報１４２ａ１に基づいて、マニュアルページ画面を表示する（ステップＳ３０９）。
【００４１】
［ガイド重み設定処理、及び、ガイド操作処理］
次に、ガイドの利用処理について説明する。図１７は、ガイド重み設定処理、及び、ガイド操作処理の概要を示す図である。
（ガイド重み設定処理）
まず、図１８に示すフローチャート及び図１７を参照して、ガイド重み設定処理について説明する。図１７に示す例では、操作マニュアル画面Ｄ２に表示されているガイド重み入力定部Ｅ８０の既定重みチェックボックスＥ８２には、マニュアル作成時に電子マニュアル作成者によって“３”がチェックされている。
【００４２】
電子マニュアル利用者は、入力装置１５を操作して、表示装置１６に操作マニュアル画面Ｄ２を表示し、画面モード選択部Ｅ４０において「ガイド」を選択する。そして、ガイドモード選択ボタンＥ７１をクリックしてガイドモードをＯＮにし、ガイド選択欄Ｅ７２にガイド名称の一覧を表示する。電子マニュアル利用者は、ガイド名称の一覧の中から所望のガイド名称を選択することにより、マニュアルページ画面とガイダンスとを表示する。そして、操作マニュアル画面Ｄ２におけるガイド重み入力定部Ｅ８０のユーザ重みチェックボックスＥ８１をチェックすることにより、ユーザ重みを設定する（図１８のステップＳ４０１）。これにより、ガイド重み設定部１１１は、チェックされたユーザ重みチェックボックスＥ８１に対応するユーザ重みデータを、選択中のガイド名称のガイドＩＤ、及び、表示中のマニュアルページのページＩＤに対応付けて、ガイド情報記憶領域１４６ｂに書き込む（ステップＳ４０２）。
【００４３】
電子マニュアル利用者は、ガイド重み入力部Ｅ８０の重み比率欄Ｅ８３に重み比率を入力することにより、重み比率を設定する（ステップＳ４０３）。これにより、ガイド重み設定部１１１は、選択中のガイド名称のガイドＩＤ、及び、表示中のマニュアルページのページＩＤに対応付けて、入力された重み比率をガイド重み比率記憶領域１４６ｃに書き込む（ステップＳ４０４）。
【００４４】
さらに、ガイド重み設定部１１１は、重み合計の値を以下の計算式で算出する。
重み合計＝（ユーザ重み×ユーザ重みの重み比率）＋既定重み×（１−ユーザ重みの重み比率））
ガイド重み設定部１１１は、算出した値でガイド情報記憶領域１４６ｂに記憶されているガイドデータの重み合計を更新することにより、新たな重みを設定する（ステップＳ４０５）。
【００４５】
（ガイド操作処理）
次に、図１９を参照して、ガイド操作処理について説明する。
まず、電子マニュアル利用者は、入力装置１５を操作して、表示装置１６に操作マニュアル画面Ｄ２を表示し、画面モード選択部Ｅ４０において「ガイド」を選択する。そして、ガイドモード選択ボタンＥ７１をクリックしてガイドモードをＯＮにし（ステップＳ４１１）、ガイド選択欄Ｅ７２にガイド名称の一覧を表示して、ガイド名称を選択する（ステップＳ４１２）。
【００４６】
これにより、ガイドデータ取得部１１２は、選択されたガイド名称を含むガイドデータ（ページＩＤ、ガイダンス、重み計（ガイド重み）等）をガイド記憶領域１４６から取得する（ステップＳ４１３）。
ステップＳ４１４において、重み考慮フラグがＯＮに設定されている場合は、ガイド重み順表示部１１３は、選択されたガイド名称及びページＩＤの組み合わせに対して設定されているガイド重みのうち、ガイド重みが最大のページＩＤに対応するマニュアルページ画面、及び、そのページに対応するガイダンスを表示する（ステップＳ４１５）。
【００４７】
一方、重み考慮フラグがＯＦＦに設定されている場合は、ガイド名称に対応付けられているページＩＤのうち、データの並び順において最初のページＩＤに対応するマニュアルページ画面、及び、そのページに対応するガイダンスを表示する（ステップＳ４１６）。
次に、電子マニュアル利用者は、ページ送りボタンＥ７３をクリックする（ステップＳ４１７）。
【００４８】
重み考慮フラグがＯＮに設定されている場合は、ガイド重み順表示部１１３は、選択されたガイド名称及びページＩＤの組み合わせに対して設定されているガイド重みのうち、ステップＳ４１５において表示されたものの次にガイド重みが大きいマニュアルページ画面、及び、そのページに対応するガイダンスを表示する（ステップＳ４１８）。
一方、重み考慮フラグがＯＦＦに設定されている場合は、ガイド名称に対応付けられているページＩＤのうち、ステップＳ４１６において表示されたものの次のページＩＤに対応するマニュアルページ画面、及び、そのページに対応するガイダンスを表示する（ステップＳ４１９）。
【００４９】
［ジャンプ処理］
次に、ジャンプ処理について説明する。図２０はジャンプ処理の概要を示す図であり、図２１は、操作マニュアル画面Ｄ２に表示されるジャンプ先選択リストＥ３３を示す図である。また、図２２は、ジャンプ処理の流れを示すフローチャートである。
（目次表示）
図２２に示すフローチャート及び図２０を参照して、目次表示処理について説明する。
電子マニュアル利用者は、画面上の目次表示ボタンをクリックする（ステップＳ６０１）。これにより、電子マニュアル装置１０は、完成マニュアル記憶領域１４２のマニュアルＤＢ１４２ｂから章情報、及び、項情報を取得する（ステップＳ６０２）。電子マニュアル装置１０は、取得した章情報、及び、項情報を元に目次画面Ｄ１を表示する（ステップＳ６０３）。
【００５０】
（目次からのジャンプ）
電子マニュアル利用者は、目次画面Ｄ１上の章、項に対応するジャンプ用ボタンＥ３４をクリックする（ステップＳ６０４）。
これにより、ジャンプ部１０７は、指定された章、項に対応するページＩＤを取得し（ステップＳ６０５）、取得したページＩＤで識別されるマニュアルページ情報１４２ａ１に基づいて、マニュアルページ画面を表示する（ステップＳ６０６）。
【００５１】
（本文からのジャンプ）
電子マニュアル利用者は、目次一覧表示ボタンＥ３２をクリックすることにより図２１に示すようなジャンプ先選択リストＥ３３を表示し、ジャンプ先選択リストＥ３３から章、項を選択する（ステップＳ６０７）。これにより、ジャンプ部１０７は、指定された章、項に対応するページＩＤを取得し（ステップＳ６０８）、取得したページＩＤで識別されるマニュアルページ情報１４２ａ１に基づいて、マニュアルページ画面を表示する（ステップＳ６０９）。
【００５２】
（ページ間のジャンプ）
電子マニュアル利用者は、ジャンプ先番号ボタンＥ３１をクリックすることにより、ジャンプ操作を行う（ステップＳ６１０）。ジャンプ部１０７は、ジャンプ先記憶領域１４４から、ページ毎に予め登録されているジャンプ先のページＩＤを取得し（ステップＳ６１１）、取得したページＩＤで識別されるマニュアルページ情報１４２ａ１に基づいて、マニュアルページ画面を表示する（ステップＳ６１２）。
【００５３】
［履歴記録処理、及び、履歴移動処理］
次に、履歴記録処理、及び、履歴移動処理について説明する。図２３は、履歴記録処理、及び、履歴移動処理の概要を示す図である。
（履歴記録処理）
図２４に示すフローチャート、及び、図２３を参照して、履歴記録処理について説明する。
電子マニュアル利用者は、操作マニュアル画面Ｄ２においてページ移動操作を行う（ステップＳ７０１）。履歴操作部Ｅ９０の自動履歴記録ＯＮ／ＯＦＦ切替ボタンＥ９１により自動履歴記録がＯＮとなっていない場合には（ステップＳ７０２；Ｎ）、移動履歴記録部１０８は履歴を記録しない（ステップＳ７０３）。
【００５４】
一方、自動履歴記録がＯＮとなっている場合には（ステップＳ７０２；Ｙ）、ページ移動履歴データを利用した移動操作が行われた場合（ステップＳ７０４；Ｙ）、履歴を記録しない（ステップＳ７０５）。一方、ページ移動履歴データを利用せずにページ移動が行われた場合には（ステップＳ７０４；Ｎ）、移動履歴記録部１０８は、操作ＩＤ、ページＩＤ、操作日時等を含むページ移動履歴データを移動履歴記録領域１４５に書き込む（ステップＳ７０６）。
図２３に示す例では、自動履歴記録ＯＮ／ＯＦＦ切替ボタンＥ９１により自動履歴記録がＯＮとなっている時に、ページＩＤが“１１”、“５”、“１４”のマニュアルページ画面を順に表示することにより、移動履歴記録領域１４５に操作ＩＤ“１”、“２”、“３”の ページ移動履歴データが書き込まれている。
【００５５】
（履歴移動処理）
次に、図２５に示すフローチャート及び図２３を参照して、履歴移動処理について説明する。
電子マニュアル利用者は、履歴操作部Ｅ９０のページ送りボタンＥ９２をクリックして履歴移動操作を行う。又は、電子マニュアル利用者は、履歴一覧表示ボタンＥ９３をクリックして移動履歴表示部１０９によりページ移動履歴データを表示させ、ダイレクト指定による履歴移動操作を行う（ステップＳ７１１）。これにより、履歴対応マニュアルページ表示部１１０は、移動履歴記録領域１４５から、電子マニュアル利用者の操作により指定されたページ移動履歴データに対応するページＩＤを取得する（ステップＳ７１２）。履歴対応マニュアルページ表示部１１０は、取得したページＩＤで識別されるマニュアルページ情報１４２ａ１に基づいてマニュアルページ画面を表示する（ステップＳ７１３）。
図２３に示す例では、操作マニュアル画面Ｄ２上に表示されたページＩＤ“１４”のページ移動履歴データが選択された時に、ページＩＤ“１４”のマニュアルページ画面が表示されている。
【００５６】
（手動による履歴記録処理及び履歴消去処理）
次に、図２６を参照して、手動による履歴記録処理及び履歴消去処理について説明する。
ステップＳ８０１において履歴操作部Ｅ９０の自動履歴記録ＯＮ／ＯＦＦ切替ボタンＥ９１により自動履歴記録がＯＮとなっている時に、電子マニュアル利用者が履歴消去ボタンＥ９５をクリックした場合には（ステップＳ８０２）、移動履歴記録部１０８は、現在表示中のマニュアルページ画面に対して記録されたページ移動履歴データを移動履歴記録領域１４５から消去する（ステップＳ８０３）。
【００５７】
一方、ステップＳ８０１において自動履歴記録がＯＦＦとなっている時に、電子マニュアル利用者が履歴記録ボタンＥ９４をクリックした場合には（ステップＳ８０４）、移動履歴記録部１０８は、現在表示中のマニュアルページ画面に対するページ移動履歴データを移動履歴記録領域１４５に記録する（ステップＳ８０５）。
以上説明したように、マニュアルページ画面やガイダンスを設定された重み順に表示することができるため、優先して表示させるべきマニュアルページ情報やガイダンスに高い重みを設定しておくことで、電子マニュアル利用の際の操作性及び検索性を向上させることができる。また、既定重みとユーザ重みとその比率を調整することで、重みを柔軟に設定することができる。
【００５８】
また、ジャンプ先番号ボタンＥ３１にジャンプ先を設定しておくことで、マニュアルページ画面同士における自由自在な移動が可能であり、検索性及び操作性が向上する。また、ページ移動履歴データを用いて、過去に電子マニュアル利用者が参照したことのあるマニュアル画面を容易に表示することができる。
このように、電子マニュアル利用者は、重み検索、ガイド機能、ジャンプ機能、履歴移動機能等を用いて所望のマニュアルページを容易に検索することができるため、難しい操作方法を習得しなくても操作性、検索性よく電子マニュアルを使用することができ、利便性が向上する。
なお、上述した実施形態において説明した各種データ構成及び表示画面は一例に過ぎず、本発明の技術思想の範囲で各種変形が可能である。
【産業上の利用可能性】
【００５９】
本発明は、操作マニュアルを始めとした種々の電子マニュアルについて適用可能であり、操作性、検索性よく電子マニュアルを利用することを必要とされる産業に利用可能である。
【図面の簡単な説明】
【００６０】
【図１】本発明の実施の形態に係る電子マニュアル装置のハードウェア構成を示すブロック図である。
【図２】同実施の形態に係る操作マニュアルの目次画面を示す図である。
【図３】同実施の形態に係る操作マニュアル画面の一例を示す図である。
【図４】同実施の形態に係る操作マニュアル画面の一例を示す図である。
【図５】同実施の形態に係る完成マニュアル記憶領域に記憶される完成マニュアルデータの構成の一例を示す図である。
【図６】同実施の形態に係るページ情報テーブル及び連結情報テーブルのデータ構成の一例を示す図である。
【図７】同実施の形態に係る検索重み記憶領域に記憶されるデータの構成の一例を示す図である。
【図８】同実施の形態に係るジャンプ先記憶領域に記憶されるジャンプ先管理情報のデータ構成の一例を示す図である。
【図９】同実施の形態に係る移動履歴記録領域に記録されるページ移動履歴データの構成の一例を示す図である。
【図１０】同実施の形態に係るページ移動履歴データが表示されている操作マニュアル画面の一例を示す図である。
【図１１】同実施の形態に係るガイド記憶領域に記憶されるガイドデータの構成の一例を示す図である。
【図１２】同実施の形態に係る電子マニュアル装置の機能構成の一例を示すブロック図である。
【図１３】同実施の形態に係るマニュアル検索処理、及び、検索重み設定処理の概要を示す図である。
【図１４】同実施の形態に係るマニュアル検索処理の流れを示すフローチャートである。
【図１５】同実施の形態に係る検索重み設定処理の流れを示すフローチャートである。
【図１６】同実施の形態に係る重み考慮マニュアル検索処理の流れを示すフローチャートである。
【図１７】同実施の形態に係るガイド重み設定処理、及び、ガイド操作処理の概要を示す図である。
【図１８】同実施の形態に係るガイド重み設定処理の流れを示すフローチャートである。
【図１９】同実施の形態に係るガイド操作処理の流れを示すフローチャートである。
【図２０】同実施の形態に係るジャンプ処理の概要を示す図である。
【図２１】同実施の形態に係る操作マニュアル画面に表示されるジャンプ先選択リストを示す図である。
【図２２】同実施の形態に係るジャンプ処理の流れを示すフローチャートである。
【図２３】同実施の形態に係る履歴記録処理、及び、履歴移動処理の概要を示す図である。
【図２４】同実施の形態に係る履歴記録処理の流れを示すフローチャートである。
【図２５】同実施の形態に係る履歴移動処理の流れを示すフローチャートである。
【図２６】同実施の形態に係る手動による履歴記録処理及び履歴消去処理の流れを示すフローチャートである。
【符号の説明】
【００６１】
１０    電子マニュアル装置
１１    ＣＰＵ
１２    ＲＡＭ
１３    ＲＯＭ
１４    ハードディスク装置
１５    入力装置
１６    表示装置
１０２  検索重み設定部
１０３  検索部
１０４  重み順マニュアル表示部
１０７  ジャンプ部
１０８  移動履歴記録部
１０９  移動履歴表示部
１１０  履歴対応マニュアルページ表示部
１１１  ガイド重み設定部
１１２  ガイドデータ取得部
１１３  ガイド重み順表示部
１４２      完成マニュアル記憶領域
１４２ａ    ページデータ
１４２ｂ    マニュアルＤＢ
１４２ａ１  マニュアルページ情報
１４２ｂ１  ページ情報テーブル
１４２ｂ２  連結情報テーブル
１４３      検索重み記憶領域
１４３ａ    検索語記憶領域
１４３ｂ    検索結果記憶領域
１４３ｃ    検索重み比率記憶領域
１４３      検索重み記憶領域
１４４      ジャンプ先記憶領域
１４５      移動履歴記録領域
１４６      ガイド記憶領域
１４６ａ    ガイド名称記憶領域
１４６ｂ    ガイド情報記憶領域
１４６ｃ    ガイド重み比率記憶領域
【図１】
2006338517.tif 000003
【図２】
2006338517.tif 000004
【図３】
2006338517.tif 000005
【図４】
2006338517.tif 000006
【図５】
2006338517.tif 000007
【図６】
2006338517.tif 000008
【図７】
2006338517.tif 000009
【図８】
2006338517.tif 000010
【図９】
2006338517.tif 000011
【図１０】
2006338517.tif 000012
【図１１】
2006338517.tif 000013
【図１２】
2006338517.tif 000014
【図１３】
2006338517.tif 000015
【図１４】
2006338517.tif 000016
【図１５】
2006338517.tif 000017
【図１６】
2006338517.tif 000018
【図１７】
2006338517.tif 000019
【図１８】
2006338517.tif 000020
【図１９】
2006338517.tif 000021
【図２０】
2006338517.tif 000022
【図２１】
2006338517.tif 000023
【図２２】
2006338517.tif 000024
【図２３】
2006338517.tif 000025
【図２４】
2006338517.tif 000026
【図２５】
2006338517.tif 000027
【図２６】
2006338517.tif 000028